(57)【特許請求の範囲】
【請求項１】
発光素子が配列された基板と、
前記基板が取り付けられる基台と、
前記基板を覆う透光性カバーと、
前記基板を前記基台側に押圧する押さえ部材と、を備え、
前記押さえ部材は、前記基板に配列された前記発光素子の配列方向に沿った一対の第１部位と前記配列方向に交差する方向に沿った一対の第２部位とを有しており、
前記一対の第１部位が前記基台に取り付けられ、
前記押さえ部材の前記発光素子を前記透光性カバー側に開放する開放部が前記一対の第１部位と前記一対の第２部位とで囲まれた領域に形成されており、
前記押さえ部材は、可撓性を有する反射シートを介して前記基板を前記基台側に押圧し、
前記基板は、前記発光素子の載置面と側端面とに第１のエッジを有し、
前記基台は、前記基板の載置面と前記側端面とに第２のエッジを有し、
前記反射シートは、前記第１のエッジと前記第２のエッジに沿って折り曲げられていることを特徴とした直管形照明装置。
【請求項２】
発光素子が配列された基板と、
前記基板が取り付けられる基台と、
前記基板を覆う透光性カバーと、
前記基板を前記基台側に押圧する押さえ部材と、を備え、
前記押さえ部材は、前記基板に配列された前記発光素子の配列方向に沿った一対の第１部位と前記配列方向に交差する方向に沿った第２部位とを有しており、
前記一対の第１部位が前記基台に取り付けられ、
前記押さえ部材の前記発光素子を前記透光性カバー側に開放する切り欠き部が前記一対の第１部位と前記第２部位とで形成されており、
前記押さえ部材は、可撓性を有する反射シートを介して前記基板を前記基台側に押圧し、
前記基板は、前記発光素子の載置面と側端面とに第１のエッジを有し、
前記基台は、前記基板の載置面と前記側端面とに第２のエッジを有し、
前記反射シートは、前記第１のエッジと前記第２のエッジに沿って折り曲げられていることを特徴とする直管形照明装置。
【請求項３】
前記透光性カバーは、短手方向端部よりも内側に突出する延出部を有し、
前記延出部は、係合部と被係合部とを係合させて前記基台に前記透光性カバーを取り付けた状態で前記基台と共に前記押さえ部材を挟む位置に配置される請求項１または２に記載の直管形照明装置。
【請求項４】
前記延出部は、前記押さえ部材に当接する請求項３に記載の直管形照明装置。
【請求項５】
前記延出部は、前記透光性カバーの長手方向に沿って延びて長尺状をなしている請求項３または４に記載の直管形照明装置。
【請求項６】
前記押さえ部材の前記開放部にはテーパー部が設けられている請求項１に記載の直管形照明装置。
【発明の詳細な説明】
【技術分野】
【０００１】
本開示は、発光素子が実装された基板を有する照明装置、及び直管形照明装置に関する。
【背景技術】
【０００２】
近年、環境意識の高まりから、省電力化に優れたＬＥＤ（Light Emitting Diode；発光ダイオード）素子等の発光素子を光源に使用した照明装置が普及している。ＬＥＤを用いた照明装置の一種として、直管形蛍光灯に代替する直管形ＬＥＤ照明装置が知られている。【０００３】
例えば、特許文献１には、軸方向に沿って発光素子が複数配列される長尺状の基板と、基板が載置される長尺状の載置面を有する基台と、基板を覆う透光性カバーと、基台に取り付けられ基板を基台側に押圧する押さえ部材と、基台の端部に取り付けられる端部カバー（第１口金、第２口金）と、を有し、押さえ部材の押圧力によって基板を基台に固定する直管形照明装置が開示されている。基台は長手方向に延びる溝部を有する。透光性カバーは、溝部に対応する爪部を有する。透光性カバーの爪部を基台の溝部に嵌めることで、透光性カバーが基台に取り付けられる。基台（取付部材）及び透光性カバーは、組み付け状態で管状となる。一般的に、直管形照明装置では、発光素子が実装された基板と、電源基板とを配線で接続し、発光素子に対して給電する。特許文献１では、基板と電源基板（点灯回路）とを接続する配線に関する記載がない。基台は、基板が載置される載置面の外側から上方へ延び、先端が基板内側に折り曲がり、基板を保持する一対の爪部を有する。【０００４】
特許文献２には、発光素子が配列される基板と、基板が取り付けられる筒状の基台と、発光素子に電力を供給する電源基板と、を有し、基台の筒部の内周面に電源基板が取り付けられる照明装置が開示されている。【０００５】
例えば、特許文献３（特に図１）には、発光素子が実装される基板と、基板が取り付けられる基台（取付部材）と、を有し、基台は、基板を収容する凹部を有し、基板の実装面と基台の表面とに跨るように取り付けられる反射シートを設けた照明装置が開示されている。【０００６】
特許文献１では、口金と基台とがネジ止めされる記載があるものの、その詳細については記載されていない。直管形照明装置における基台１０２と口金（端部カバー１０５）の固定構造に関する一例を図１４に示す。図１４に示すように、管状の端部カバー１０５には、頭付きネジｖｏを軸方向ＡＤに通すネジ挿通孔が管状の外表面よりも径方向内側に形成されており、頭付きネジｖｏが管状の外周面よりも径方向内側にて締着される。また、端部カバー１０５には、頭付きネジｖｏを締着するために必要な工具代空間１５３がネジ挿通孔と同軸上に形成されている。
【先行技術文献】
【特許文献】
【０００７】
【特許文献１】特開２０１４−１５４４３２号公報
【特許文献２】特開２０１４−２３５８５４号公報
【特許文献３】特開２０１４−１１２４９１号公報
【発明の概要】
【発明が解決しようとする課題】
【０００８】
第１の課題として、上記押さえ部材は、基板に実装された発光素子を避けるように発光素子の間に配置されている。しかしながら、このような構成では、発光素子の配置密度を高めるために発光素子のピッチが狭くなれば、それに伴い押さえ部材の幅を狭くしなければならない。その結果、押さえ部材が細くなって、基板を押圧する力が弱くなってしまう。【０００９】
第２の課題として、基板は押さえ部材によって押圧されるので、押さえ部材が基台に的確に取り付けられていなければ、基板の固定が弱くなるおそれがある。照明装置が製造後に運搬されることを考慮すれば、基板の固定がより確かであることが望まれる。【００１０】
第３の課題として、透光性カバーは樹脂で形成されることが多く、可撓性を有するので、透光性カバーに外力が作用した場合に透光性カバーの爪部が基台の溝部から外れるおそれがある。また、透光性カバーを通過する光量を増大させるためには、透光性カバーの厚みを薄型化することが考えられるが、薄形化すれば剛性が低下し、透光性カバーに外力が作用した場合に透光性カバーの爪部が基台の溝部から外れるおそれがある。【００１１】
第４の課題として、上記照明装置は、基台の筒状であり、電源基板を基台の筒内部に電源基板を挿入し、電源基板及び筒部端をクランプ機構で挟むことで基台の筒部内面に取り付けているので、電源基板の位置決めしつつ固定しなければならず、組み立て作業が容易とはいえない。【００１２】
第５の課題として、例えば、図１１に示すように、発光素子１１０が実装された基板１０１を基台１０２に取り付け、基板１０１の表面側に電気コネクタ１１１を介して設けられる配線１０４ａを、基板１０１の長手方向ＡＤ外側に向けて延ばし、基板１０１及び基台１０２の端面を越えて、基台１０２の裏面側まで引くことが考えられる。このような構成の場合、照明装置の運搬などによって配線１０４ａが振られることが考えられる。そうすれば、配線１０４ａのうち応力が作用しやすい部位（例えば、配線と基板との接続箇所Ｐ）において断線してしまうおそれがある。なお、図１１に示す構成は、発明者が考える構成であって、公知ではない。【００１３】
第６の課題として、基板のうち発光素子が実装される実装面には、反射層がコーティングされることが多いが、基板の側端面には反射層がないことが多い。基板の側端面を露出したままにすると、基板の側端面にて光が吸収され、光束が低下してしまう。これは、基板の材料となる板材に反射層をコーティングした後に、板材を所定サイズにカットして基板とする製造方法が採用されることに起因する。【００１４】
基板の側端面を遮蔽する手段の一つとして、上記特許文献３に記載のように、基板の実装面と基台の表面とに跨るように反射シートを取り付けることが考えられる。しかし、上記特許文献１では、基台に設けた凹部によって段差があり、この段差を架橋するように反射シートが取り付けられているので、段差で反射シートが浮いてしまう。反射シートを適切に固定できるとはいえない。【００１５】
第７の課題として、上記特許文献１を含め従来の直管形照明装置では、発光素子が実装される長尺状の基板が、基台の長尺状の載置面に載置されており、基板の短手方向幅は、載置面にフィットするように、載置面の短手方向幅に合わせて形成されている。【００１６】
しかしながら、発光素子で発生する熱は基板を介して放熱する必要があるが、基板は絶縁性材料で形成されるので、その熱抵抗が、基台等の他の部材に比して相対的に高い。基板の熱抵抗に起因する蓄熱を低減することが求められる。【００１７】
また、従来の照明装置のように、基板の幅が基台の載置面の幅に合わせてあると、載置面よりも外側にある他の部材の近くに基板が配置されることになり、基板の熱が他の部材に影響を与える可能性がある。【００１８】
第８の課題として、発光素子が実装される基板と、電源基板とが熱干渉しないようにする必要があるところ、特許文献２に記載の照明装置は、基台の表面に基板を取り付け、基台の内周面に電源基板を取り付けているので、基板と電源基板との熱干渉を避ける十分な対策がなされているとはいえない。【００１９】
第９の課題として、発光素子から出た光は、照明装置を構成する部材によって遮られることなく、透光性カバーを通過して外部に出力されることが好ましい。【００２０】
しかしながら、特許文献１に記載の照明装置では、基板に実装された複数の発光素子のうち最も軸方向外側にある発光素子よりも内側に、電力供給用の配線が接続される電極端子１３（電気コネクタ）が配置されている。この場合、発光素子の大きさや電気コネクタの大きさ、発光素子と電気コネクタとの距離によっては、発光素子から出た光が電気コネクタに遮られるおそれがある。この課題は、電気コネクタだけではなく、他の部材にも同様のことが言える。【００２１】
第１０の課題として、図１４に示すように、締着された頭付きネジｖｏは、工具代空間１５３である孔の底部にあり、管外側（管軸に直交する方向）から視認できない。このように、従来の直管形照明装置では、締着された頭付きネジｖｏが管軸に直交する方向から見えない。よって、頭付きネジｖｏが確かに締着されているかを、軸方向外側から覗いて確認しなければならず、製造後の検品作業に人手が必要となり、製造コストが増大してしまう。【００２２】
第１１の課題として、基台に設けられた一対の爪部は、透光性カバー側に露出しているので、発光素子から発光された光が一対の爪部に到達し得る。基台は熱伝導性を有するアルミニウム等の金属が使用されることが多い。しかし、基台のうち透光性カバー側に露出する露出部位がアルミニウム等の材料そのままで構成されていると、露出部位に至った光が吸収されてしまい、光束が低減するおそれがある。これは、基板を固定するための爪部に限らず、基台のうち透光性カバー側に露出する部位には同様のことがいえる。【００２３】
第１２の課題として、直管形照明装置の透光性カバーが長尺状であるため、重力でたわみが発生し得る。透光性カバーのたわみは、ガタツキを招来し、さらには、透光性カバーが基台から脱落する事態を招来するおそれがある。特に、透光性カバーは、発光素子からの光を通過させる必要があり、通過する光量を増大させるためには、薄型化が求められる。しかしながら、長尺状の透光性カバーを薄型にすれば、剛性が低下し、重力によるたわみが生じやすくなる。【００２４】
本開示は、上記課題の少なくともいずれかに着目してなされたものである。【００２５】
第１の課題に対応する第１の目的は、基板を適切に固定可能な照明装置を提供することである。【００２６】
第２の課題に対応する第２の目的は、基板を適切に固定可能な照明装置を提供することである。【００２７】
第３の課題に対応する第３の目的は、基台に対する透光性カバーの取り付け強度を向上させた直管形照明装置を提供することである。【００２８】
第４の課題に対応する第４の目的は、電源基板を容易に取り付け可能にした照明装置を提供することである。【００２９】
第５の課題に対応する第５の目的は、基板に接続される配線を保護する機構を有する直管形照明装置を提供することである。【００３０】
第６の課題に対応する第６の目的は、基板の側端面を遮蔽する反射シートを改善した照明装置を提供することである。【００３１】
第７の課題に対応する第７の目的は、基板の蓄熱を低減するとともに、基板が他の部材に対して熱影響を与えることを低減する直管形照明装置を提供することである。【００３２】
第８の課題に対応する第８の目的は、発光素子が実装される基板と、電源基板との熱干渉を回避した直管形照明装置を提供することである。【００３３】
第９の課題に対応する第９の目的は、部材の配置を改良して、発光素子から出た光が遮られにくい直管形照明装置を提供することである。【００３４】
第１０の課題に対応する第１０の目的は、検品作業を容易にした直管形照明装置を提供することである。【００３５】
第１１の課題に対応する第１１の目的は、基板が取り付けられる基台を適正化した照明装置を提供することである。【００３６】
第１２の課題に対応する第１２の目的は、発光素子からの光を通過させる透光性カバーのたわみを低減する直管形照明装置を提供することである。
【課題を解決するための手段】
【００３７】
本開示は、上記目的の少なくともいずれかを達成するために、次のような手段を講じている。【００３８】
第１の課題に対応する照明装置は、複数の発光素子が所定の配列方向に沿って配列される基板と、前記基板が取り付けられる基台と、前記基板を覆う透光性カバーと、前記基板を前記基台側に押圧する押さえ部材と、を備え、前記押さえ部材は、前記配列方向に交差する交差方向に沿って前記基台を跨ぐ姿勢で前記基台に取り付けられ、前記押さえ部材には、前記発光素子を前記透光性カバー側に開放する開放空間が形成されている。【００３９】
このように、押さえ部材に形成された開放空間が発光素子を透光性カバー側に開放するので、押さえ部材を発光素子の配列方向に沿って幅広にしても、押さえ部材が発光素子からの発光を遮蔽することを回避でき、幅を広くした押さえ部材によって基板を適切に固定可能となる。【００４０】
第２の課題に対応する照明装置は、発光素子が実装される基板と、前記基板が取り付けられる基台と、前記基台に取付可能に構成され且つ前記基板を覆う透光性カバーと、前記基板を跨ぐ姿勢で前記基台に取り付けられることで前記基板を前記基台側へ押圧する押さえ部材と、を備え、前記透光性カバーは、前記基台に固定する係合部を有し、前記基台は、前記係合部に対応する被係合部を有し、前記透光性カバーは、短手方向端部よりも内側に管内側へ突出する延出部を有し、前記延出部は、前記係合部と前記被係合部とを係わり合わせて前記基台に前記透光性カバーを取り付けた状態で前記基台と共に前記押さえ部材を挟む位置に配置される。【００４１】
このように、透光性カバーに設けられた延出部が、組み付け状態で基台と共に押さえ部材を挟む位置に配置されているので、押さえ部材が遊んで動いたとしても押さえ部材を透光性カバーで適切に保持でき、押さえ部材を介した基板の固定がより確かになる。【００４２】
第３の課題に対応する直管形照明装置は、発光素子が実装される長尺状の基板が取り付けられる基台と、前記基板を覆う透光性カバーと、を備え、前記透光性カバーを前記基台に取り付けた状態で管状となる直管形照明装置であって、前記基台は、前記透光性カバーを固定する長手方向に延びる溝部を有し、前記透光性カバーは、短手方向端部に管内側へ突出する前記溝部に対応する爪部を有し、当該爪部を前記溝部に嵌めることで前記基台に取付可能に構成され、前記透光性カバーには、短手方向端部よりも内側に管内側へ突出する延出部を有し、前記爪部及び前記延出部は、前記透光性カバーを前記基台に取り付けた状態において、管周方向に沿って見た場合に、前記爪部と前記延出部とで前記基台の一部を挟む位置関係に設定されている。【００４３】
このように、透光性カバーの爪部と延出部が基台の一部を挟む位置関係に設定されているので、透光性カバーが管径方向に沿って動こうとしても爪部又は延出部のいずれかに基台の一部が干渉するので、透光性カバーの基台に対する取り付け強度を向上させることができる。【００４４】
第４の課題に対応する照明装置は、発光素子が実装された基板と、前記基板が取り付けられる筒状の基台と、前記発光素子に電力を供給する電源基板と、前記電源基板を前記基台に固定する電源固定部材と、を備え、前記電源固定部材は、一端側が前記基台の端部から前記基台の内部に挿入可能なサイズに形成され、前記一端側に前記電源基板が取り付けられる取付部を有し、前記一端側を前記基台の内部に挿入した状態で他端側を前記基台の端部に固定可能に構成されている。【００４５】
この構成によれば、電源基板を電源固定部材の一端側にある取付部に取り付けた状態で基板内部に挿入して、電源固定部材を基台の端部に固定するだけで、電源基板も固定されるので、電源基板を容易に取り付けることが可能となる。【００４６】
第５の課題に対応する直管形照明装置は、組み付け状態で管状となる基台及び透光性カバーと、前記基台に取り付けられる長尺状の基板と、前記基板に実装される発光素子と、前記基板の第１面側に設けられ前記基板の長手方向外側に延びる配線と、前記配線を案内する案内部材と、を備え、前記案内部材には、前記基板の長手方向端部が挿入される基板挿入部が形成されており、前記基板挿入部に前記基板を挿入した状態で前記基板の長手方向端よりも更に外側となる部位に厚み方向貫通路が形成されており、前記基板の長手方向端部から長手方向外側に延びる配線が前記厚み方向貫通路を通って基板の前記第１面の反対面側に案内されている。【００４７】
この構成によれば、配線は、基板の長手方向端部に挿入される案内部材の厚み方向貫通路を通るので、装置全体が揺れたとしても、配線が動きうる範囲が厚み方向貫通路に限定される。その結果、配線の揺れを低減でき、配線を保護する機構を提供できる。【００４８】
第６の課題に対応する照明装置は、発光素子が実装される実装面に反射層が形成される基板と、前記基板が載置される載置面を有する基台と、前記載置面から前記実装面に至り前記基板の側端面を被覆する反射シートと、を備え、前記反射シートは、前記側端面に対応する切り込みが形成され、当該切り込みに沿って折り曲げられている。【００４９】
この構成によれば、基板の側端面が反射シートで被覆されるので、基板の側端面によって光が吸収され、光束が低下することを防止できる。それでいて、反射シートは、基板の側端面に対応する切り込みが形成され、切り込みに沿って折り曲げられているので、反射シートを基板及び基台にフィットさせることができ、反射シートを適切に固定可能となる。【００５０】
第７の課題に対応する直管形照明装置は、発光素子が実装される長尺状の基板と、前記基板が載置される長尺状の載置面を有する基台と、前記基板を覆う透光性カバーと、を備え、前記透光性カバーを前記基台に取り付けた状態で管状となる直管形照明装置であって、前記載置面は、前記基板の熱を放熱する放熱経路の一部を構成しており、前記基板の短手方向幅は、前記載置面の短手方向寸法よりも小さく形成されており、前記基板が前記載置面の短手方向端から離間する状態で前記基台に載置されている。【００５１】
この構成によれば、載置面の短手方向寸法に合わせた幅を有する基板に比べて、基板の短手方向幅が小さいので、基板面積が小さくなり、熱抵抗を減らし、蓄熱を減らすことが可能となる。それでいて、基板が載置面の短手方向端から離間する状態で基台に載置されているので、載置面よりも外側にある他の部材に熱影響を与えることを低減または防止できる。【００５２】
第８の課題に対応する直管形照明装置は、発光素子が実装された長尺状の基板と、前記基板が取り付けられる基台と、前記発光素子に電力を供給する電源基板と、軸方向に沿って延び前記電源基板を挟持する対をなす電源挟持部と、を備え、前記電源挟持部は、前記電源基板が前記基板から離間するように前記基台に対して関連づけられている。【００５３】
このように、基板と電源基板とを離間させた状態で支持するので、相互の熱干渉を回避できる。【００５４】
第９の課題に対応する直管形照明装置は、組み付け状態で管状となる基台及び透光性カバーと、前記基台に取り付けられる長尺状の基板と、前記基板に軸方向に沿って配列される複数の発光素子と、前記基台の端部に取り付けられる端部カバーと、を備え、前記基板は、前記複数の発光素子へ電力を供給する配線が接続される電気コネクタを有し、前記端部カバーは、前記透光性カバーを保持するカバー保持部を有し、前記カバー保持部は、前記発光素子よりも管径方向外側に配置されており、前記複数の発光素子のうち最も軸方向外側にある前記発光素子から軸方向外側に向けて、前記電気コネクタ、前記カバー保持部の順に配置されている。【００５５】
このような配置であれば、最も軸方向外側にある発光素子から出た光が電気コネクタ又はカバー保持部によって遮られにくくなる。その結果、輝度を向上させることが可能となる。【００５６】
第１０の課題に対応する直管形照明装置は、組み付け状態で管状となる基台及び透光性カバーと、前記基台と前記透光性カバーとで形成される収容空間に収容される基板及び当該基板に実装される発光素子と、前記基台の端部に頭付きネジを介して取り付けられる且つ管軸と同方向の軸を有する管状の端部カバーと、を備え、前記端部カバーには、前記頭付きネジを軸方向に通すネジ挿通孔が管状の外周面よりも径方向内側に形成され、前記ネジ挿通孔と同軸上に工具代空間が形成されており、前記ネジ挿通孔に締着された前記頭付きネジの頭部を管外側から視認可能にするネジ開放空間が形成されている。【００５７】
このように、締着状態の頭付きネジの頭部を管軸に直交する方向から視認可能にするネジ開放空間が端部カバーに形成されているので、人の視認又はカメラによる検査が容易となる。【００５８】
第１１の課題に対応する照明装置は、発光素子が実装される基板と、前記基板が載置される載置面及び円弧状の外表面を有する基台と、前記載置面および前記基板を覆う透光性カバーと、を備え、前記基台は、前記載置面の外側に前記透光性カバー側に露出する露出部を有し、前記露出部には反射層が形成されている。【００５９】
このように、基台のうち透光性カバー側に露出する露出部には、反射層が形成されているので、露出部で光が吸収されることを抑制できる。よって、露出部を有する基台を適正化できる。【００６０】
第１２の課題に対応する直管形照明装置は、発光素子が実装される基板が取り付けられる基台と、前記基板を覆う透光性カバーと、を備え、前記透光性カバーを前記基台に取り付けた状態で管状となる直管形照明装置であって、前記透光性カバーは、短手方向端部よりも内側に管軸方向に沿って延びるリブを有する。【００６１】
このように、透光性カバーには、管軸方向に沿って延びるリブが短手方向端部よりも内側に設けられているので、透光性カバーの剛性を高め、透光性カバーのたわみを低減することが可能となる。
【図面の簡単な説明】
【００６２】
【図１】第１実施形態の直管形照明装置を示す斜視図。
【図２】照明装置を構成する各部材を示す分解斜視図。
【図３】照明装置の軸に直交する断面図。
【図４Ａ】電源固定部材を示す斜視図。
【図４Ｂ】電源固定部材を示す側面図。
【図５Ａ】透光性カバーを外した状態の照明装置の一部を示す平面図。
【図５Ｂ】透光性カバー、押さえ部材及び第２の反射シートを外した状態の照明装置の一部を示す平面図。
【図５Ｃ】図５Ａに対応する側面図。
【図６】発光素子と押さえ部材の開放空間の関係を示す端面図。
【図７】第２の反射シートを示す平面図。
【図８】押さえ部材の変形例を示す平面図。
【図９Ａ】案内部材と端部カバーとの位置関係に示す側面図。
【図９Ｂ】案内部材を示す斜視図。
【図１０Ａ】基板及び基台に案内部材を装着した状態を示す斜視図。
【図１０Ｂ】基板及び基台に案内部材を装着した状態を示す斜視図。
【図１１】基板、基台及び配線に関する説明図。
【図１２】第２実施形態の直管形照明装置の基台、基板及び電源基板の関係を模式的に示す断面図。
【図１３】第２実施形態の変形例を示す断面図。
【図１４】従来の直管形照明装置における基台と端部カバーの固定構造を模式的に示す斜視図。
【発明を実施するための形態】
【００６３】
＜第１実施形態＞
以下、本開示の第１実施形態の照明装置について、図面を用いて説明する。第１実施形態は、第１〜７、９〜１２の課題に対応する実施形態である。
【００６４】
図１及び図２に示すように、照明装置は、ＬＥＤ（Light Emitting Diode；発光ダイオード）を用いた発光素子１０が実装される基板１と、基板１が取り付けられる基台２と、基板１を覆う透光性カバー３と、発光素子１０に電力を供給する電源基板４と、基台２の端部に取り付けられる端部カバー５と、を有する。本実施形態の照明装置は、基台２および透光性カバー３が組み付け状態で管状となる直管形照明装置である。
【００６５】
基板１は、図２、図３及び図５Ｂに示すように、管軸方向ＡＤに沿って長尺状をなし、長手方向ＡＤ（所定の配列方向）に沿って複数の発光素子１０が配列されている。基板１は、絶縁性材料で形成される。図３に示すように、基板１のうち発光素子１０が実装される実装面１ａに反射層が形成されている。基板１の材料となる板材に反射層をコーティングした後に、当該板材を所定サイズにカットして基板１が形成される。そのため、基板１の側端面１ｂには、反射層がなく、基板の材料の色が現れている。基板１は、基台２と透光性カバー３とで形成される収容空間ＳＰ１に収容される。本実施形態では、図５Ｂに示すように、基板１は、所定の配列方向ＡＤに沿って複数の発光素子１０が配列されて一列をなしているが、複数列でもよい。本実施形態では、図示しないものの、複数の基板１が直線状に基台２に配置されているが、基台２に設ける基板１は単一であってもよい。基板１の反射層は、基材として、エポキシ樹脂、ウレタン樹脂等の塗料で、顔料として、硫酸バリウム、炭酸カルシウム、微細タルク、ベントナイト、微細シリカ、クレー、カオリン又は微細アスベスト等を配合したものを採用できる。
【００６６】
図３及び図５Ｂに示すように、基台２は、長尺状の基板１が載置される長尺状の載置面２０を有する。基台２は、載置面２０を有する平板部２ａと、円弧状の外表面２１を有する部分円筒部２ｂと、を結合させた筒状をなしている。基台２は、放熱性を有する金属材で形成される。本実施形態では、基台２は、アルミ製で、アルミダイキャストで形成される。基台２は、図２及び図３に示すように、透光性カバー３を固定する長手方向ＡＤに延びる溝部２２を有する。
【００６７】
透光性カバー３は、図２及び図３に示すように、円弧状の外表面３０を有する部分円筒状をなし、管軸方向ＡＤに延びる長尺状に形成されている。透光性カバー３は、発光素子１０からの光を拡散させつつ通過させる。透光性カバー３は、短手方向端部に管内側へ突出する爪部３１を有する。この爪部３１は、基台２の溝部２２に対応しており、透光性カバー３は、透光性カバー３の爪部３１を基台２の溝部２２に嵌めることで基台２に取付可能に構成される。図２に示すように、基台２の溝部２２は、基台２の端部にて管軸方向ＡＤ外側に開放されており、透光性カバー３を基台２の端部から管軸方向ＡＤに沿ってスライド挿入することで、透光性カバー３を基台２に取付可能に構成されている。
【００６８】
図２に示すように、電源基板４は、基台２に電源固定部材６を介して固定される。電源基板４は、図示しない配線を介して基板１に電気的に接続される。
【００６９】
端部カバー５は、基台２の端部に固定される。端部カバー５には、電源基板４に電気的に接続される給電端子５０が露出した状態で取り付けられ、照明器具本体から給電端子５０、電源基板４、基板１を介して発光素子１０に給電され、発光素子１０が発光する。
【００７０】
上記照明装置の基本構成に対し、本実施形態では更に以下の構成を有する。
【００７１】
図３に示すように、基台２における載置面２０の外側には、管軸方向ＡＤに延びる基板固定用爪部２３が設けられている。基板固定用爪部２３は、透光性カバー３側に露出する露出部であり、基台２の円弧状の外表面２１を含め反射剤を基台２の全面に塗装することで反射層が形成されている。基板固定用爪部２３は、載置面２０よりも透光性カバー３側に突出しており、更に先端が基板１側へ向いている。基台２の円弧状の外表面２１には、当該照明装置に関する文字又は図形がプリントされている。反射剤は、基材として、エポキシ樹脂、ウレタン樹脂等の塗料で、顔料として、硫酸バリウム、炭酸カルシウム、微細タルク、ベントナイト、微細シリカ、クレー、カオリン又は微細アスベスト等を配合している。
【００７２】
載置面２０は、両面テープなどの粘着テープで接着される第１の反射シート２０ａを有する。本実施形態では、第１の反射シート２０ａは、可撓性を有する材料で形成されている。第１の反射シート２０ａは、ＰＥＴ（ポリエチレンテレフタラート）で形成されているが、材料はこれに限定されない。勿論、第１の反射シートを省略することも可能である。
【００７３】
基板１は、両面テープなどの粘着テープを用い、第１の反射シート２０ａを介して載置面に接着されている。基板１は粘着剤で固定されているが、より的確に固定するために、図２、図３及び図５Ａに示すように、基板１を基台２側に押圧する押さえ部材７を設けている。押さえ部材７は、樹脂製が好ましい。押さえ部材７は、発光素子１０の配列方向ＡＤに交差する交差方向ＣＤに沿って基台２を跨ぐ姿勢で基台２に取り付けられる。図３に示すように、押さえ部材７の交差方向ＣＤの両端部７ａは、基板固定用爪部２３に引っ掛けてあり、押さえ部材７は基板固定用爪部２３を足場として基板１を押圧する。押さえ部材７には、図２及び図５Ａに示すように、発光素子１０を透光性カバー３側に開放する開放空間ＳＰ２が形成されている。本実施形態では、開放空間ＳＰ２は孔であるが、これに限定されず、例えば切り欠きでもよい。押さえ部材７は、交差方向の両端部に対をなす幅広部位７０・７０を有し、対をなす幅広部位７０・７０の間に開放空間ＳＰ２が形成されている。本実施形態では、幅広部位７０は、発光素子１０の配列方向ＡＤに沿った長さＤ１及び発光素子１０間の配列方向ＡＤに沿った長さＤ２のいずれよりも広く形成されているが、これに限定されない。幅広部位７０は、上記長さＤ１又は長さＤ２のいずれかよりも広ければよい。これによって、従来のように発光素子間のみにしか配置できなかった押さえ部材に比べて、押さえ部材の剛性を高めることができるので、基板を的確に押さえつけることが可能となる。
【００７４】
図６に示すように、押さえ部材７のうち開放空間ＳＰ２を形成する壁面７１は、基台側ＲＤ２から透光性カバー側ＲＤ１に向かうにつれて発光素子１０から遠ざかる方向へ向かっている。すなわち、開放空間ＳＰ２としての孔又は切り欠きは、基台側ＲＤ２から透光性カバー側ＲＤ１に向かうにつれて開口が大きくなるように形成されている。本実施形態では、開放空間ＳＰ２が孔であり、孔を形成する壁面７１にテーパ面が形成されている。これにより、発光素子１０から拡がる光を押さえ部材７が遮蔽することを低減し、輝度を向上させることが可能となる。本実施形態ではテーパ面であるが、これに限定されず、曲面、直線又はこれらの組み合わせでもよい。
【００７５】
上記の通り、基板１の側端面１ｂには反射層が形成されていない。図２、図３及び図５Ａに示すように、基板１の側端面１ｂを隠すために、基台２の載置面２０から基板１の実装面１ａに至り基板１の側端面１ｂを被覆する第２の反射シート８が設けられている。第２の反射シート８は、基板１の形状にフィットさせるように折り曲げるので、可撓性を有する材料で形成されていることが好ましい。本実施形態では、第２の反射シート８は、ＰＥＴ（ポリエチレンテレフタラート）で形成されているが、材料はこれに限定されない。勿論、基板１の側端面１ｂに反射層が形成されている場合には、第２の反射シート８を省略することも可能である。
【００７６】
図７に示すように、第２の反射シート８は、基板１の側端面１ｂに対応する切り込み８ａ（８ｂ、８ｃ）が形成されており、切り込み８ａ（８ｂ、８ｃ）に沿って折り曲げられている。本実施形態では、複数の切り込みを間隔をあけて配置することでミシン目を形成しているが、ミシン目に限定されない。また、切り込みは、反射シート８を厚み方向に貫通するフルカットでもよいし、反射シート８を厚み方向に貫通せずに一部を切断するハーフカットでもよい。このように基板１の側端面１ｂに対応する切り込みに沿って第２の反射シート８が折り曲げられるので、反射シート８を基板１及び基台２にフィットさせることができ、固定するうえで好ましい。
【００７７】
図３の下部には、基板拡大断面図を示している。
本実施形態では、図３及び図７に示すように、第２の反射シート８は、実装面１ａと側端面１ｂとのエッジｅ１及び側端面１ｂと載置面２０とのエッジｅ２に沿って形成された２つのライン状の切り込み８ｂ、８ｃ（ミシン目）に沿って折り曲げられている。図７に示すように、透光性カバー３から見た場合に、切り込み８ｂで山折りされ、切り込み８ｃで谷折りされている。このように２つのエッジｅ１，ｅ２に沿って切り込み８ｂ、８ｃで折り曲げることによって、反射シート８をより基板１にフィットさせることができる。
【００７８】
第２の反射シート８は、図５Ａ及び図７に示すように、発光素子１０を透光性カバー３側に開放する孔８ｈを有し、孔の周囲にある基板１の実装面１ａを被覆している。基板１の実装面１ａには、反射色（白色）ではあるものの文字や記号などのプリント情報が存在することが多い。上記構成であれば、発光素子１０を開放する孔８ｈの周囲にある実装面１ａを被覆するので、プリント情報が遮蔽されることになり、輝度を向上させることが可能となる。
【００７９】
図３に示すように、第２の反射シート８を除いた状態で押さえ部材７と基板１の実装面１ａとの間には隙間が形成される。本実施形態では、第２の反射シート８の厚みは上記隙間以下であるが、第２の反射シート８の厚みを上記隙間よりも大きくすることが好ましい。このようにすれば、押さえ部材７が第２の反射シート８を介して基板１を押さえる状態において、押さえ部材７及び第２の反射シート８に蓄積された弾性反発力によって、押さえ部材７、第２の反射シート８及び基板１が密着するので、基板１を適切に固定することが可能となる。
【００８０】
基板１は、第１の反射シート２０ａを介して基台２の載置面２０に固定されている。基台２は伝熱性を有する金属材（本実施形態ではアルミニウム）で形成されており、基台２の外表面２１は外部に露出している。基板１で発生した熱は、第１の反射シート２０ａを介して基台２の載置面２０に伝わり、載置面２０から外表面２１へ熱が移動し、外表面２１から大気中に放熱される。基台２の載置面２０は基板１の熱を放熱する放熱経路の一部を構成している。図３及び図５Ｂに示すように、基板１の短手方向幅Ｗ１は、載置面２０の短手方向寸法Ｗ２よりも小さく形成されている。基板１は載置面２０の短手方向端から離間する状態で基台２に載置される。
【００８１】
このように、載置面２０の短手方向寸法に合わせた幅を有する従来の基板に比べて、短手方向幅Ｗ１が小さいので、基板面積が小さくなり、熱抵抗が減り、基板の蓄熱を低減可能となる。それでいて、基板１が載置面２０の短手方向端から離間する状態で基台２に載置されているので、載置面２０よりも外側にある部材（本実施形態では、基板固定用爪部２３、透光性カバー３等）に熱影響を与えることを低減又は防止できる。
【００８２】
更に本実施形態では、図５Ｂに示すように、基板１の短手方向幅Ｗ１は、載置面２０の余白幅（２×Ｗ３）よりも小さい。このようにすれば、基板１の蓄熱及び他の部材への熱影響を効果的に低減できる。本実施形態では、基板１の短手方向幅Ｗ１は６ｍｍであり、載置面２０の短手方向寸法Ｗ２は２０ｍｍである。載置面の余白幅は７ｍｍ×２＝１４ｍｍである。
【００８３】
発光素子１０を管軸に沿うように載置面２０の中央に配置する場合には、透光性カバー３で反射した光の一部が発光素子１０で吸収されるので、発光素子１０の管軸直交方向ＣＤの長さＤ３は小さい方が好ましい。しかし、発光素子１０を小さくすると、照射面の面積が減ることになるので、輝度が低減する。そこで、本実施形態のように、図５Ａに示すように、発光素子１０の管軸方向ＡＤに沿った長さＤ１は、発光素子１０の管軸直交方向ＣＤに沿った長さＤ３よりも大きい方が好ましい。この構成にすれば、光の吸収の低減と発光量の増大とを両立できる。勿論、Ｄ１＝Ｄ３でもよいし、Ｄ１＜Ｄ３にしてもよい。
【００８４】
図２及び図３に示すように、透光性カバー３は、基台２に固定する係合部（爪部３１）を有し、基台２は、係合部（爪部３１）に対応する被係合部（溝部２２）を有する。本実施形態では、係合部は爪部３１であり、被係合部は溝部２２であるが、互いに係わり合って固定可能であれば、これに限定されない。爪部を基台２に設け、溝部を透光性カバー３に設けてもよい。
【００８５】
透光性カバー３は、短手方向端部よりも内側に管内へ突出する延出部３２を有する。図３に示すように、延出部３２は、係合部（爪部３１）と被係合部（溝部２２）とを係わり合わせて基台２に透光性カバー３を取り付けた状態で基台２と共に押さえ部材７を挟む位置に配置されている。延出部３２は、基台２と共に押さえ部材７を挟む位置に配置されていれば、延出部３２が押さえ部材７と離間していてもよいし、延出部３２が押さえ部材７に当接していてもよい。この構成によれば、透光性カバー３に設けられた延出部３２が、組み付け状態で基台２と共に押さえ部材７を挟む位置に配置されているので、押さえ部材７が遊んで動いたとしても押さえ部材７を透光性カバー３で適切に保持でき、押さえ部材７を介して基板１を適切に固定できる。延出部３２が押さえ部材７と離間している場合には、その離間距離は、５ｍｍ以内、更に好ましくは２．３ｍｍ以下であることが挙げられる。
【００８６】
延出部３２が押さえ部材７に当接する場合には、延出部３２が押さえ部材７を介して基板１を適切に押圧して固定できる。
【００８７】
透光性カバー３の爪部３１及び延出部３２は、透光性カバー３を基台２に取り付けた状態において、管周方向に沿って見た場合に、爪部３１と延出部３２とで基台２の一部（本実施形態では、基板固定用爪部２３）を挟む位置関係に設定されている。このように、透光性カバー３の爪部３１と延出部３２が基台２の一部（基板固定用爪部２３）を挟む位置関係に設定されているので、透光性カバー３を基台２に適切に固定できる。透光性カバー３が管径方向に沿って動こうとしても爪部３１又は延出部３２のいずれかに基台の一部が干渉するので、透光性カバー３の基台２に対する取り付け強度を向上させることができる。透光性カバー３を基台２に組み付けた状態で、延出部３２と基台２の一部との間の隙間は２．３ｍｍ以下であることが好ましい。勿論、透光性カバー３を基台２に取り付けた状態において、延出部３２と基台２の一部とが当接していてもよい。
【００８８】
本実施形態では、延出部３２は、透光性カバー３の長手方向ＡＤに沿って延びて長尺状をなしている。このように、基台の一部（本実施形態では、基板固定用爪部２３）を長尺状の対をなす部材（爪部３１及び延出部３２）が挟む位置関係にあるので、基台２の一部（基板固定用爪部２３）が透光性カバー３に干渉する領域が増えるので、基台２に透光性カバー３をより適切に固定できる。
【００８９】
図２に示すように、透光性カバー３の延出部３２は、管軸方向ＡＤに沿って延びるリブである。このように、管軸方向ＡＤに沿って延びるリブ３２が短手方向端部よりも内側に設けられているので、透光性カバー３の剛性を高め、透光性カバー３のたわみを低減することが可能となる。
【００９０】
透光性カバー３のリブ３２は、図３に示すように、透光性カバー３の軸を中心として左右対称となるように対をなして設けられている。このように、リブ３２を左右対称に設ければ、透光性カバーの剛性をバランスよく確保できる。
【００９１】
リブ３２による補強効果が顕著となるのは、透光性カバー３が樹脂で形成されている場合には、厚みが１．０ｍｍ以下であるときが一例として挙げられる。好ましくは、０．７ｍｍ以下である。このように、透光性カバー３の厚みが薄くても、リブ３２によって適切に剛性を確保でき、透光性カバー３の薄型化による輝度の向上と、薄型化により不足する剛性の補強とを両立することが可能となる。
【００９２】
図２、図４Ａ及び図４Ｂに示すように、電源固定部材６は、一端側が基台２の端部から基台２の内部に挿入可能なサイズに形成されている。すなわち、電源固定部材６の一端側は、基台２の筒状部位の内径よりも小さい。電源固定部材６は、一端側に電源基板４が取り付けられる取付部６０を有する。電源固定部材６は、一端側を基台２の内部に挿入した状態で他端側を基台２の端部に固定可能に構成されている。電源基板４を電源固定部材６の一端側にある取付部６０に取り付けた状態で基台２の内部に基板１と一緒に挿入して固定できるので、電源基板４を容易に取り付けできる。本実施形態では、電源固定部材６の他端側には、端部カバー５と共に基台２に固定するための頭付きネジｖｏを通すネジ孔６ｈが設けられている。電源固定部材６は、基台２の筒状部位の内周壁に対応する部分円弧状部位を有し、当該部分円弧状部位を基台の内周壁に当接することによって位置決めされる。組み付け状態で電源基板４は、基台２の筒状部位の内周面から離間しており、基板１と電源基板４との双方の熱影響を低減又は回避している。
【００９３】
電源固定部材６の取付部６０は、電源基板４を挟む一対の挟持部６１と、挟持部６１・６１に挟まれた電源基板４の孔４ｈに嵌る抜け止め爪部６２と、を有する。この構成であれば、取付部６０を簡素な構成で実現できる。
【００９４】
図２、図４Ａ及び図４Ｂに示すように、電源基板４を他の部材（基台２）から絶縁するために、電源基板４を覆う筒状部位４０ａを有する電源絶縁部材４０が設けられている。電源固定部材６の取付部６０は、電源絶縁部材４０の筒状部位４０ａに挿入可能なサイズに形成されている。取付部６０のうち筒状部位４０ａに挿入される部位に、電源絶縁部材規制部６３が設けられている。電源絶縁部材規制部６３は、筒状部位４０ａに形成された被係止部４１（例えば、孔、突起、溝などが挙げられる）と係わり合うことで、取付部６０に対する筒状部位の軸方向への移動を規制する。本実施形態では、電源絶縁部材規制部６３は突起であるが、電源絶縁部材４０の被係止部４１に応じて適宜変更可能である。
【００９５】
この構成であれば、電源固定部材６の取付部６０に電源基板４を取り付け、電源基板４を電源絶縁部材４０の筒状部位４０ａに挿入した状態で電源絶縁部材４０が電源固定部材６に固定される。よって、電源基板４と電源絶縁部材４０の双方を同時に基台２に固定可能となり、組み付け作業効率を向上させることが可能となる。
【００９６】
図２、図５Ａ、図５Ｂ及び図５Ｃに示すように、基板１は、電源基板４から複数の発光素子１０へ電力を供給する配線が接続される電気コネクタ１１を有する。端部カバー５は、透光性カバー３を保持するカバー保持部５１を有する。カバー保持部５１は、発光素子１０よりも管径方向外側に配置されており、端部カバー５から管軸方向内側へ向けて突出する円弧状ひさしである。カバー保持部５１は、透光性カバー３の円弧状部位の内周面に当接する。図５Ｃに示す側面視において、複数の発光素子１０のうち最も軸方向外側にある発光素子１０から軸方向ＡＤ外側に向けて電気コネクタ１１、カバー保持部５１の順に配置されている。このように配置すれば、最も軸方向外側にある発光素子１０から出た光が電気コネクタ１１又はカバー保持部５１によって遮られにくくなる。
【００９７】
図５Ｃに示すように、電気コネクタ１１及びカバー保持部５１は、最も軸方向外側にある発光素子１０の指向角の範囲Ｒｇ外に配置されている。指向角は発光素子１０の仕様に基づき定められている。なお、同図で示す指向角の範囲Ｒｇは説明のために模式的に図示しており、その角度等は厳密に図示していない。電気コネクタ１１は、白色系以外の色（例えば、茶色が挙げられる。）であり、基台２の反射層（基台２の反射層、反射シートなど）よりも反射率が低い。勿論、これに限定されず、電気コネクタ１１を白色系としてもよい。電気コネクタ１１の反射率が、基台２の反射層と同じでもよい。
【００９８】
図２及び図５Ｃに示すように、端部カバー５は、基台２及び透光性カバー３の管軸と同方向の軸を有する筒状をなし、基台２の端部に頭付きネジｖｏを介して取り付けられる。端部カバー５には、頭付きネジｖｏを軸方向に通すネジ挿通孔５２が管状部の外周面よりも径方向内側に形成されている。端部カバー５には、ネジ挿通孔５２と同軸上に、頭付きネジｖｏを締着するための工具代空間５３が形成されている。端部カバーには、ネジ挿通孔５２に締着された頭付きネジｖｏの頭部を管外側（管軸ＡＤに直交する方向）から視認可能にするネジ開放空間５４が形成されている。本実施形態では、ネジ開放空間５４は、締着された頭付きネジｖｏの頭部を管軸ＡＤに直交する方向（管径方向外側）に開放している。
【００９９】
このように、締着状態の頭付きネジｖｏの頭部が管外側（管軸ＡＤに直交する方向）から視認可能にするネジ開放空間５４が端部カバー５に形成されているので、人の視認又はカメラの撮像によって頭付きネジｖｏが締着されているかを検査可能となる。
【０１００】
本実施形態では、工具代空間５３及びネジ開放空間５４は、頭付きネジｖｏの頭部座面が接触するネジ挿通孔５２の周縁部位から軸方向に沿って延びる溝部である。このように工具代空間５３及びネジ開放空間５４を簡素な構成である溝部で実現している。
【０１０１】
図２に示すように、基板１には、基板１と電源基板４とを電気的に接続する配線４ａが設けられている。配線４ａは、基板１の第１面側ＲＤ１（透光性カバー側ＲＤ１）に電気コネクタ１１を介して設けられる。配線４ａは、電気コネクタ１１から基板１の長手方向外側ＡＤ１に延び、基板１及び基台２の端面を越えて、基台２の裏面側に至り、電源基板４に接続される。
【０１０２】
図１０Ａ及び図１０Ｂに示すように、上記配線４ａを案内する案内部材９が設けられている。図９Ａ及び図９Ｂに示すように、案内部材９は、樹脂製で形成され、全体としてクリップ状に形成されている。案内部材９には、基板１の長手方向端部が挿入されるスリットとしての基板挿入部９０が形成されていると共に、基台２の端面が挿入されるスリット状の基台挿入部９１が形成されている。図１０Ａ及び図１０Ｂに示すように、基台挿入部９１及び基板挿入部９０で基台挿入部９１及び基板１を同時に挟むことで、基板１を基台２に固定している。
【０１０３】
図９Ｂ、図１０Ａ及び図１０Ｂに示すように、案内部材９には、基板挿入部９０に基板１を挿入した状態で基板１の長手方向端よりも更に外側ＲＤ１となる部位に厚み方向貫通路９２が形成されている。基板１の長手方向端部から長手方向外側ＡＤ１に延びる配線４ａが厚み方向貫通路９２を通って基板１の第１面の反対面側ＲＤ２に案内されている。
【０１０４】
図９Ｂ及び図１０Ａに示すように、案内部材９には、基板１から長手方向外側ＡＤ１に延びる配線４ａを厚み方向貫通路９２へ案内する一対の壁部である第１の軸方向案内路９３が形成されている。
【０１０５】
図９Ｂ及び図１０Ｂに示すように、案内部材９には、厚み方向貫通路９２を通って第１面の反対面側ＲＤ２に至った配線４ａを長手方向内側ＡＤ２へ案内する一対の壁部である第２の軸方向案内路９４が形成されている。
【０１０６】
図９Ａに示すように、組み付けた状態において、案内部材９の背面と端部カバー５の一部とが当接し、案内部材９が基板１及び基台２から抜けることを防止するようにしている。端部カバー５には凹部５ａが形成され、案内部材９には、凹部５ａに嵌るのを案内する呼び込み面９５が形成されている。呼び込み面９５は、案内部材９を先細り状にするテーパ面である。勿論、案内部材９と端部カバー５の当接構造は、これに限定されない。凹凸関係を逆にしてもよく、呼び込み面９５を形成しなくてもよい。本実施形態では、端部カバー５と案内部材９を当接するように構成したが、基台２と位置関係が固定される部材であれば端部カバー５に限定されない。
【０１０７】
以上のように、第１の課題に対応する本実施形態の照明装置は、複数の発光素子１０が所定の配列方向ＡＤに沿って配列される基板１と、基板１が取り付けられる基台２と、基板１を覆う透光性カバー３と、基板１を基台２側に押圧する押さえ部材７と、を有する。押さえ部材７は、配列方向ＡＤに交差する交差方向ＣＤに沿って基台２を跨ぐ姿勢で基台２に取り付けられる。押さえ部材７には、発光素子１０を透光性カバー３側に開放する開放空間ＳＰ２が形成されている。
【０１０８】
このように、押さえ部材７に形成された開放空間ＳＰ２が発光素子１０を透光性カバー３側に開放するので、押さえ部材７を発光素子１０の配列方向ＡＤに沿って幅広にしても、押さえ部材７が発光素子１０からの発光を遮蔽することを回避でき、幅を広くした押さえ部材７によって基板を適切に固定可能となる。
【０１０９】
本実施形態では、押さえ部材７は、交差方向ＣＤの両端部に対をなす幅広部位７０・７０を有し、対をなす幅広部位７０・７０の間に開放空間ＳＰ２が形成されており、幅広部位７０は、発光素子１０の配列方向ＡＤに沿った長さＤ１又は発光素子１０間の配列方向ＡＤに沿った長さＤ２よりも広く形成されている。
【０１１０】
この構成によれば、従来のように発光素子１０間のみにしか配置できなかった押さえ部材に比べて、押さえ部材７の剛性を高めることができるので、基板１を的確に押さえつけることが可能となる。
【０１１１】
本実施形態では、押さえ部材７のうち開放空間ＳＰ２を形成する壁面７１は、基台側ＲＤ２から透光性カバー側ＲＤ１に向かうにつれて発光素子１０から遠ざかる方向へ向かっている。この構成によれば、発光素子１０から拡がる光を押さえ部材７が遮蔽することを低減し、光束を向上させることが可能となる。
【０１１２】
例えば、本実施形態では、図５Ａに示すように、押さえ部材７に形成される開放空間ＳＰ２は孔であるが、図８に示すように、開放空間ＳＰ２は、押さえ部材１０７の側面の切り欠きであってもよい。
【０１１３】
第２の課題に対応する本実施形態の照明装置は、発光素子１０が実装される基板１と、基板１が取り付けられる基台２と、基台２に取付可能に構成され且つ基板１を覆う透光性カバー３と、基板１を跨ぐ姿勢で基台２に取り付けられることで基板１を基台２側へ押圧する押さえ部材７と、を備える。透光性カバー３は、基台２に固定する係合部（爪部３１）を有し、基台２は、係合部（爪部３１）に対応する被係合部（溝部２２）を有する。透光性カバー３は、短手方向端部よりも内側に管内側へ突出する延出部３２を有する。延出部３２は、係合部（爪部３１）と被係合部（溝部２２）とを係わり合わせて基台２に透光性カバー３を取り付けた状態で基台２と共に押さえ部材７を挟む位置に配置されている。
【０１１４】
このように、透光性カバー３に設けられた延出部３２が、組み付け状態で基台２と共に押さえ部材７を挟む位置に配置されているので、押さえ部材７が遊んで動いたとしても押さえ部材７を透光性カバー３で適切に保持でき、押さえ部材７を介した基板１の固定がより確かになる。
【０１１５】
本実施形態の一例では、延出部３２が、押さえ部材７に当接している。
【０１１６】
この構成によれば、組み付け状態において延出部３２が押さえ部材７を介して基板１を常時押圧する。よって、押さえ部材７の足場が基台２と透光性カバー３の２つとなるので、基板１をより的確に固定できる。
【０１１７】
第３の課題に対応する本実施形態の直管形照明装置は、発光素子１０が実装される長尺状の基板１が取り付けられる基台２と、基板１を覆う透光性カバー３と、を備え、透光性カバー３を基台２に取り付けた状態で管状となる直管形照明装置である。基台２は、透光性カバー３を固定する長手方向に延びる溝部２２を有する。透光性カバー３は、短手方向端部に管内側へ突出する溝部２２に対応する爪部３１を有し、爪部３１を溝部２２に嵌めることで基台２に取付可能に構成されている。透光性カバー３には、短手方向端部よりも内側に管内側へ突出する延出部３２を有する。爪部３１及び延出部３２は、透光性カバー３を基台２に取り付けた状態において、管周方向に沿って見た場合に、爪部３１と延出部３２とで基台２の一部（基板固定用爪部２３）を挟む位置関係に設定されている。
【０１１８】
このように、透光性カバー３の爪部３１と延出部３２が基台２の一部（基板固定用爪部２３）を挟む位置関係に設定されているので、透光性カバー３が管径方向に沿って動こうとしても爪部３１又は延出部３２のいずれかに基台２の一部（基板固定用爪部２３）が干渉するので、透光性カバー３の基台２に対する取り付け強度を向上させることができる。
【０１１９】
本実施形態では、延出部３２は、透光性カバー３の長手方向ＡＤに沿って延びて長尺状をなしている。
【０１２０】
このように、基台の一部（本実施形態では、基板固定用爪部２３）を長尺状の対をなす部材（爪部３１及び延出部３２）が挟む位置関係にあるので、基台２の一部（基板固定用爪部２３）が透光性カバー３に干渉する領域が増えるので、基台２に透光性カバー３をより適切に固定できる。
【０１２１】
例えば、本実施形態では、延出部３２は透光性カバー３の長手方向ＡＤに沿って長尺状に形成されているが、延出部を単なる突起として、長尺状にしなくてもよい。この場合は、延出部を透光性カバー３の長手方向ＡＤに沿って複数箇所に設けることが好ましい。また、本実施形態では、延出部３２を透光性カバー３の長手方向ＡＤの全長にわたり形成しているが、延出部が長手方向ＡＤに沿って長尺状であれば、全長の一部のみに設けてもよい。この場合、延出部を透光性カバー３の長手方向ＡＤに沿って複数箇所に設けることが好ましい。
【０１２２】
このように、延出部を透光性カバー３の長手方向ＡＤに沿って複数箇所に設けると、基台２と透光性カバー３とが干渉する領域が増えるので、透光性カバー３を基台２にさらに適切に固定できる。
【０１２３】
第４の課題に対応する本実施形態の照明装置は、発光素子１０が実装された基板１と、基板１が取り付けられる筒状の基台２と、発光素子１０に電力を供給する電源基板４と、電源基板４を基台２に固定する電源固定部材６と、を備える。電源固定部材６は、一端側が基台２の端部から基台２の内部に挿入可能なサイズに形成され、一端側に電源基板４が取り付けられる取付部６０を有し、一端側を基台２の内部に挿入した状態で他端側を基台２の端部に固定可能に構成されている。
【０１２４】
この構成によれば、電源基板４を電源固定部材６の一端側にある取付部６０に取り付けた状態で基板１内部に挿入して、電源固定部材６を基台２の端部に固定するだけで、電源基板４も固定されるので、電源基板４を容易に取り付けることが可能となる。
【０１２５】
本実施形態では、取付部６０は、電源基板４を挟む一対の挟持部６１と、挟持部６１に挟まれた電源基板４の孔４ｈに嵌る抜け止め爪部６２と、を有する。
【０１２６】
このようにすれば、取付部６０を簡素な構成で実現でき、抜け止め爪部６２で電源基板４が離脱することがなく、電源基板４を固定できる。
【０１２７】
本実施形態では、電源基板４を覆う筒状部位４０ａを有する電源絶縁部材４０を更に備え、取付部６０は、筒状部位４０ａに挿入可能なサイズに形成されており、取付部６０のうち筒状部位４０ａに挿入される部位に、筒状部位４０ａに形成された被係止部４１と係わり合うことによって取付部６０に対する筒状部位４０ａの軸方向への移動を規制する電源絶縁部材規制部６３が形成されている。
【０１２８】
この構成であれば、電源固定部材６の取付部６０に電源基板４を取り付け、電源基板４を電源絶縁部材４０の筒状部位４０ａに挿入した状態で電源絶縁部材４０が電源固定部材６に固定される。よって、電源基板４と電源絶縁部材４０の双方を同時に基台２に固定可能となり、組み付け作業効率を向上させることが可能となる。
【０１２９】
第５の課題に対応する本実施形態の直管形照明装置は、組み付け状態で管状となる基台２及び透光性カバー３と、基台２に取り付けられる長尺状の基板１と、基板１に実装される発光素子１０と、基板１の第１面側ＲＤ１に設けられ基板１の長手方向外側ＡＤ１に延びる配線４ａと、配線４ａを案内する案内部材９と、を有する。案内部材９には、基板１の長手方向端部が挿入される基板挿入部９０が形成されている。案内部材９には、基板挿入部９０に基板１を挿入した状態で基板１の長手方向端よりも更に外側ＲＤ１となる部位に厚み方向貫通路９２が形成されている。案内部材９には、基板１の長手方向端部から長手方向外側ＡＤ１に延びる配線４ａが厚み方向貫通路９２を通って基板１の第１面の反対面側ＲＤ２に案内されている。
【０１３０】
この構成によれば、配線４ａは、基板１の長手方向端部に挿入される案内部材９の厚み方向貫通路９２を通るので、装置全体が揺れたとしても、配線４ａが動きうる範囲が厚み方向貫通路９２に限定される。その結果、配線４ａの揺れを低減でき、配線４ａを保護する機構を提供できる。
【０１３１】
組み付け状態で配線４ａが、厚み方向貫通路９２を形成する壁面に当接していることが好ましい。すなわち、厚み方向貫通路９２の寸法は、厚み方向貫通路９２を形成する壁面に配線４ａが当接する大きさに設定されていることが好ましい。
【０１３２】
この構成によれば、配線４ａが振られなくなり、配線の保護効果をより一層向上させることが可能となる。
【０１３３】
本実施形態では、案内部材９には、基板１から長手方向外側ＡＤ１に延びる配線４ａを厚み方向貫通路９２へ案内する第１の軸方向案内路９３が形成されている。
【０１３４】
この構成によれば、第１の軸方向案内路９３によって配線４ａが振られる範囲が限定されるので、配線の保護効果をより一層向上させることが可能となる。
【０１３５】
本実施形態では、案内部材９には、厚み方向貫通路９２を通って第１面の反対面側ＲＤ２に至った配線４ａを長手方向内側ＡＤ２へ案内する第２の軸方向案内路９４が形成されている。
【０１３６】
この構成によれば、第２の軸方向案内路９４によって配線４ａが振られる範囲が限定されるので、配線の保護効果をより一層向上させることが可能となる。
【０１３７】
本実施形態では、案内部材９には、基台２の端面が挿入される基台挿入部９１が形成されており、基台挿入部９１及び基板挿入部９０で基台２及び基板１を同時に挟むことで、基板１を基台２に固定している。
【０１３８】
この構成によれば、基台２、基板１、配線４ａ及び案内部材９を一体的に適切に固定可能となる。
【０１３９】
例えば、本実施形態では、案内部材９は、基板挿入部９０、基台挿入部９１、厚み方向貫通路９２、第１の軸方向案内路９３、及び第２の軸方向案内路９４を有するが、基板挿入部９０及び厚み方向貫通路９２を有していれば、これに限定されない。基台挿入部９１、第１の軸方向案内路９３、及び第２の軸方向案内路９４を任意に取り外したり、組み合わせたりすることが可能である。
【０１４０】
本実施形態では、第１面側ＲＤ１が、透光性カバー側ＲＤ１又は基板１の表面（実装面１ａ）であるが、これに限定されない。第１面側を基板の裏面側としてもよい。
【０１４１】
本実施形態では、配線４ａを、基板１と電源基板４とを接続する配線として説明しているが、これに限定されない。
【０１４２】
第６の課題に対応する本実施形態の照明装置は、発光素子１０が実装される実装面１ａに反射層が形成される基板１と、基板１が載置される載置面２０を有する基台２と、載置面２０から実装面１ａに至り基板１の側端面１ｂを被覆する反射シート８と、を備える。反射シート８は、側端面１ｂに対応する切り込み８ａが形成され、切り込み８ａに沿って折り曲げられている。
【０１４３】
この構成によれば、基板１の側端面１ｂが反射シート８で被覆されるので、基板１の側端面１ｂによって光が吸収され、光束が低下することを防止できる。それでいて、反射シート８は、基板１の側端面１ｂに対応する切り込み８ａ（本実施形態では、ミシン目）が形成され、切り込み８ａに沿って折り曲げられているので、反射シート８を基板１及び基台２にフィットさせることができ、反射シート８を適切に固定可能となる。
【０１４４】
本実施形態では、反射シート８は、実装面１ａと側端面１ｂとのエッジｅ１及び側端面１ｂと載置面２０とのエッジｅ２に沿って形成された切り込み８ｂ，８ｃに沿って折り曲げられている。
【０１４５】
このように、２つのエッジｅ１，ｅ２に沿った切り込み８ｂ、８ｃで折り曲げることによって、反射シート８をより基板１にフィットさせることができる。
【０１４６】
本実施形態では、反射シート８は、発光素子１０を透光性カバー３側に開放する孔８ｈを有し、孔８ｈの周囲にある実装面１ａを被覆する。
【０１４７】
基板１の実装面１ａには、反射色（白色）ではあるものの文字や記号などのプリント情報が存在することが多い。上記構成であれば、発光素子１０を開放する孔８ｈの周囲にある実装面１ａを被覆するので、プリント情報が遮蔽されることになり、光束を向上させることが可能となる。
【０１４８】
第７の課題に対応する本実施形態の直管形照明装置は、発光素子１０が実装される長尺状の基板１と、基板１が載置される長尺状の載置面２０を有する基台２と、基板１を覆う透光性カバー３と、を備え、透光性カバー３を基台２に取り付けた状態で管状となる。載置面２０は、基板１の熱を放熱する放熱経路の一部を構成している。基板１の短手方向幅Ｗ１は、載置面２０の短手方向寸法Ｗ２よりも小さく形成されている。基板１が載置面２０の短手方向端から離間する状態で基台２に載置されている。
【０１４９】
この構成によれば、載置面２０の短手方向寸法Ｗ２に合わせた幅を有する基板に比べて、基板１の短手方向幅Ｗ１が小さいので、基板面積が小さくなり、熱抵抗を減らし、蓄熱を減らすことが可能となる。それでいて、基板１が載置面２０の短手方向端から離間する状態で基台２に載置されているので、載置面２０よりも外側にある他の部材（基板固定用爪部２３、透光性カバー３等）に熱影響を与えることを低減または防止できる。
【０１５０】
本実施形態では、基板１の短手方向幅Ｗ１は、載置面２０の余白幅（２×Ｗ３）よりも小さい。この構成によれば、載置面２０を占める基板１の面積が５０％以下になるので、基板１の熱抵抗及びそれに伴う蓄熱を効果的に低減することが可能となる。
【０１５１】
発光素子１０では透光性カバー３で反射した光の一部が吸収されるので、発光素子１０の管軸直交方向ＣＤの寸法を小さくした方がよい。しかし、発光素子１０を小さくしたのでは、照射面の面積が減り、発光量が低減してしまう。そこで、本実施形態の一例では、発光素子１０の管軸方向ＡＤに沿った寸法Ｄ１は、管軸直交方向ＣＤに沿った寸法Ｄ３よりも大きくしている。このように、発光素子１０の管軸方向ＡＤの長さを大きくして、光の吸収の低減と発光量の増大とを両立している。それでいて、発光素子１０が管軸方向ＡＤに沿って長くなるので、管軸方向ＡＤに長尺状となる基板１に好適である。
【０１５２】
第９の課題に対応する本実施形態の直管形照明装置は、組み付け状態で管状となる基台２及び透光性カバー３と、基台２に取り付けられる長尺状の基板１と、基板１に軸方向ＡＤに沿って配列される複数の発光素子１０と、基台２の端部に取り付けられる端部カバー５と、を備える。基板１は、複数の発光素子１０へ電力を供給する配線が接続される電気コネクタ１１を有する。端部カバー５は、透光性カバー３を保持するカバー保持部５１を有する。カバー保持部５１は、発光素子１０よりも管径方向外側に配置されている。複数の発光素子１０のうち最も軸方向ＡＤ外側にある発光素子１０から軸方向ＡＤ外側に向けて、電気コネクタ１１、カバー保持部５１の順に配置されている。
【０１５３】
このような配置であれば、最も軸方向ＡＤ外側にある発光素子１０から出た光が電気コネクタ１１又はカバー保持部５１によって遮られにくくなる。その結果、輝度を向上させることが可能となる。
【０１５４】
本実施形態では、最も軸方向ＡＤ外側にある発光素子１０の指向角の範囲Ｒｇ外に電気コネクタ１１及びカバー保持部５１が配置されている。
【０１５５】
このような配置であれば、上記作用効果が顕著になる。
【０１５６】
本実施形態では、電気コネクタ１１は、白色系以外の色である。このような場合には、電気コネクタ１１による光の吸収が顕著となるので、本開示の好適な適用例として挙げられる。
【０１５７】
本実施形態では、基台２は、反射層を有し、電気コネクタ１１は、基台２の反射層よりも反射率が低い。このような場合には、電気コネクタ１１で光が吸収されやすくなるので、本開示の好適な適用例として挙げられる。
【０１５８】
第１０の課題に対応する本実施形態の直管形照明装置は、組み付け状態で管状となる基台２及び透光性カバー３と、基台２と透光性カバー３とで形成される収容空間ＳＰ１に収容される基板１及び基板１に実装される発光素子１０と、基台２の端部に頭付きネジｖｏを介して取り付けられる且つ管軸と同方向の軸を有する管状の端部カバー５と、を備える。端部カバー５には、頭付きネジｖｏを軸方向に通すネジ挿通孔５２が管状の外周面よりも径方向内側に形成されている。端部カバー５には、ネジ挿通孔５２と同軸上に工具代空間５３が形成されている。端部カバー５には、ネジ挿通孔５２に締着された頭付きネジｖｏの頭部を管外側（管軸に直交する方向）から視認可能にするネジ開放空間５４が形成されている。
【０１５９】
このように、締着状態の頭付きネジｖｏの頭部を管軸に直交する方向から視認可能にするネジ開放空間５４が端部カバー５に形成されているので、人の視認又はカメラによる検査が容易となる。
【０１６０】
本実施形態では、工具代空間５３及びネジ開放空間５４は、頭付きネジｖｏの頭部座面が接触するネジ挿通孔５２の周縁部位から軸方向に沿って延びる溝部である。
【０１６１】
溝部という簡素な構成で工具代空間５３及びネジ開放空間５４を実現することができ、製造が容易となる。
【０１６２】
例えば、本実施形態では、図２及び図５Ｃに示すように、ネジ開放空間５４は、頭付きネジｖｏの頭部を管径方向外側に開放しているが、頭付きネジｖｏの頭部を管軸ＡＤに直交する方向に開放すれば、これに限定されない。例えば、直管形照明装置を照明器具に取り付けた状態で、頭付きネジｖｏを上方、下方又はその両方に開放するようにネジ開放空間を形成してもよい。また、端部カバー５が複数の頭付きネジｖｏで基台２に固定される場合には、管軸に直交する方向のうち少なくともいずれか一方向に頭付きネジｖｏの頭部を開放するように、各々のネジ開放空間を形成することが挙げられる。このようにすれば、管軸に直交する方向のうちいずれか一方向から見た場合に、複数の頭付きネジｖｏの頭部を同時に視認でき、検品作業を更に容易にすることが可能となる。
【０１６３】
第１１の課題に対応する本実施形態の照明装置は、発光素子１０が実装される基板１と、基板１が載置される載置面２０及び円弧状の外表面２１を有する基台２と、載置面２０および基板１を覆う透光性カバー３と、を備える。基台２は、載置面２０の外側に透光性カバー３側に露出する露出部としての基板固定用爪部２３を有し、露出部としての基板固定用爪部２３には反射層が形成されている。
【０１６４】
このように、基台２のうち透光性カバー３側に露出する露出部である基板固定用爪部２３には、反射層が形成されているので、露出部としての基板固定用爪部２３で光が吸収されることを抑制できる。
【０１６５】
本実施形態では、露出部である基板固定用爪部２３は、載置面２０よりも透光性カバー３側に突出している。このように、露出部（基板固定用爪部２３）が載置面２０よりも透光性カバー３側に突出していれば、光が当たりやすくなり、露出部（基板固定用爪部２３）で反射する光量を増大させることができる。
【０１６６】
本実施形態では、反射層は、円弧状の外表面２１を含め基台２に反射剤を全面塗装することで形成されている。このように、基台２全体が全面塗装されているので、光が吸収されることを抑制できる。また、円弧状の外表面２１にも塗装されているので、外表面２１が平滑となり、バリ等の後処理が不要となり、取り扱いしやすい。
【０１６７】
本実施形態では、円弧状の外表面２１に、文字又は図形がプリントされている。
従来であれば、基台２の外表面が平滑ではなく、微小な凹凸が有る場合が多く、その場合には、製品に関する文字又は図形がプリント処理できないので、シールなどに文字又は図形を印字して、後で貼り付けていた。しかし、本実施形態では、反射剤を基台に全面塗装することで、外表面２１が平滑になっているので、プリント処理によって製品に関する文字又は図形を外表面２１に直接印字でき、シール貼付などの人手を省略して、製造コストを低減することができる。
【０１６８】
第１２の課題に対応する本実施形態の直管形照明装置は、発光素子１０が実装される基板１が取り付けられる基台２と、基板１を覆う透光性カバー３と、を備え、透光性カバー３を基台２に取り付けた状態で管状となる。透光性カバー３は、短手方向端部よりも内側に管軸方向ＡＤに沿って延びるリブ３２を有する。
【０１６９】
このように、透光性カバー３には、管軸方向ＡＤに沿って延びるリブ３２が短手方向端部よりも内側に設けられているので、透光性カバー３の剛性を高め、透光性カバー３のたわみを低減することが可能となる。
【０１７０】
本実施形態では、リブ３２は、透光性カバー３の軸を中心として左右対称となるように対をなして設けられている。
【０１７１】
このように、リブ３２を左右対称に設ければ、透光性カバー３の剛性をバランスよく確保できる。
【０１７２】
本実施形態では、透光性カバー３の厚みは、１．０ｍｍ以下である。透光性カバー３が薄くても、リブ３２によって剛性を確保できるので、リブ３２による補強効果が顕著になる例として挙げられる。
【０１７３】
本開示は上述した実施形態に何ら限定されるものではなく、本開示の趣旨を逸脱しない範囲内で種々の改良変更が可能である。例えば、変形例としての第２実施形態を以下に示す。
【０１７４】
＜第２実施形態＞
第２実施形態は、基板１及び電源基板４の固定構造が第１実施形態と異なる。第１実施形態で説明した部材のうち機能が共通する部材は、第２実施形態でも同じ符号を用いて表している。第２実施形態は、第８の課題に対応する実施形態である。
【０１７５】
図１２は、直管形照明装置の基台、基板及び電源基板の関係を模式的に示す断面図である。図１２に示すように、第２実施形態の直管形照明装置は、発光素子１０が実装された長尺状の基板１１と、基板１が取り付けられる基台１０２と、発光素子１０に電力を供給する電源基板４と、軸方向ＡＤに沿って延び電源基板４を挟持する対をなす電源挟持部１０６，１０６と、基板１を覆う透光性カバー３と、を有する。
【０１７６】
一対の電源挟持部１０６は、軸方向ＡＤに延びる一対のスリットであり、一対のスリットで電源基板４の両端部を挟む。電源挟持部１０６は軸方向ＡＤに延びるスリットであるので、軸方向ＡＤに交差する方向（例えば図中矢印ＣＤ１，ＣＤ２，ＣＤ３，ＣＤ４）への電源基板４の移動を阻止する一方で、軸方向ＡＤに沿った基板１の移動を許容する構造を有する。この構造であれば、電源挟持部１０６はスリットに限定されない。例えば、爪部を軸方向ＡＤに沿って複数箇所に配置して電源挟持部を構成してもよい。なお、図１２には、電源基板４に実装された電子部品４ａ及びその部品端子４ｂが図示されている。
【０１７７】
電源挟持部１０６であるスリットは、基台１０２の端部において軸方向ＡＤ外側に開いている。これにより、電源基板４を基台１０２の端部から軸方向ＡＤに沿って挿入可能となり、基台１０２に対する電源基板４の組み付けを容易にしている。
【０１７８】
電源挟持部１０６は、基台１０２に取り付けられた基板１から電源基板４が離間するように、基台１０２に対して関連づけられている。すなわち、基板１と電源基板４との間には隙間Ｇｐが設けられている。本実施形態では、電源挟持部１０６が基台１０２に形成されることで、電源挟持部１０６が基台１０２に対して一体に関連づけられているが、これに限定されない。例えば、電源挟持部１０６が形成された部材を基台２に直接取り付けることで、電源挟持部１０６が基台１０２に対して関連づけられていてもよい。また、電源挟持部１０６が形成された部材を他の部材を介して基台２に間接的に取り付けることで、電源挟持部１０６が基台１０２に対して関連づけられていてもよい。ヒートシンクとしての基台１０２と電源基板４との沿面距離は、日本国の電気用品安全法において規定されている定格電圧に応じた値よりも大きく設定されている。
【０１７９】
本実施形態では、基板１と電源基板４との間の隙間Ｇｐには、部材がなく、空気だけが存在し断熱している。電源基板４からの熱がこの隙間Ｇｐに伝熱すると空気の対流によって基台１０２に伝熱され、基台１０２から外部へ放熱される。断熱性能及び、基台１０２への伝熱性能が劣るが、例えば、隙間Ｇｐに断熱部材を介在させることも可能である。
【０１８０】
基台１０２は、対をなす基板固定用挟持部１２３を有する。基板１は、基板固定用挟持部１２３によって基台１０２に対して取り付けられている。基板固定用挟持部１２３は、軸方向ＡＤに沿って延び基板固定用の部材（押さえ部材７）を挟持する。本実施形態において、基板固定用挟持部１２３は、軸方向ＡＤに延びる一対の爪部又はスリットであり、一対の爪部又はスリットで基板固定用の部材（押さえ部材７）の両端部を挟む。基板固定用挟持部１２３は、一対の爪部又はスリットであるので、軸方向ＡＤに交差する方向（例えば図中矢印ＣＤ１，ＣＤ２，ＣＤ３，ＣＤ４）への基板固定用の部材（押さえ部材７）の移動を阻止する一方で、軸方向ＡＤに沿った基板固定用の部材（押さえ部材７）の移動を許容する構造を有する。
【０１８１】
基板固定用挟持部１２３である爪部又はスリットは、基台１０２の端部において軸方向ＡＤ外側に開いている。これにより、基板固定用の部材（押さえ部材７）を基台１０２の端部から軸方向ＡＤに沿って挿入可能となり、基台１０２に対する基板１の組み付けを容易にしている。
【０１８２】
図１２の例では、基板固定用挟持部１２３が、基板固定用の部材（押さえ部材７）を挟むことで、基板固定用挟持部１２３が基板１を間接的に保持しているが、図１３のように構成してもよい。図１３では、基板固定用挟持部１２３が基板１を挟む構造である。
【０１８３】
以上のように、第８の課題に対応する第２実施形態の直管形照明装置は、発光素子１０が実装された長尺状の基板１と、基板１が取り付けられる基台１０２と、発光素子１０に電力を供給する電源基板４と、軸方向ＡＤに沿って延び電源基板４を挟持する対をなす電源挟持部１０６，１０６と、を備える。電源挟持部１０６，１０６は、電源基板４が基板１から離間するように基台１０２に対して関連づけられている。
【０１８４】
このように、基板１と電源基板４とを離間させた状態で支持するので、相互の熱干渉を回避できる。
【０１８５】
第２実施形態では、電源挟持部１０６は、軸方向ＡＤに交差する方向（ＣＤ１，ＣＤ２，ＣＤ３，ＣＤ４）への電源基板４の移動を阻止する一方で、軸方向ＡＤに沿った電源基板４の移動を許容するスリット又は爪部を有する。この構成によれば、簡易な構造で電源基板４を保持可能となる。
【０１８６】
第２実施形態では、基台１０２は、軸方向ＡＤに沿って延び基板１を挟持する対をなす基板固定用挟持部１２３を有する。基板固定用挟持部１２３は、軸方向ＡＤに交差する方向（ＣＤ１，ＣＤ２，ＣＤ３，ＣＤ４）への基板１又は基板固定用の部材（押さえ部材７）の移動を阻止する一方で、軸方向ＡＤに沿った基板１又は基板固定用の部材（押さえ部材７）の移動を許容するスリット又は爪部を有する。この構成によれば、簡易な構造で基板１を直接的又は間接的に保持可能となる。
【０１８７】
第２実施形態では、電源挟持部１０６は、基台１０２に一体に形成されているので、部品点数を減らして組み付けが容易となる。
【０１８８】
上記の各実施形態で採用している構造を他の任意の実施形態に採用することは可能である。各部の具体的な構成は、上述した実施形態のみに限定されるものではなく、本開示の趣旨を逸脱しない範囲で種々変形が可能である。
【符号の説明】
【０１８９】
１…基板
１ａ…基板の実装面
１ｂ…基板の側端面
１０…発光素子
１１…電気コネクタ
２，１０２…基台
２０…基台の載置面
２１…外表面
２２…溝部（被係合部）
２３…基板固定用爪部（基台の一部、露出部）
３…透光性カバー
３１…爪部（係合部）
３２…延出部、リブ
４…電源基板
４ａ…配線
４０…電源絶縁部材
４１…被係止部
５…端部カバー
５１…カバー保持部
５２…ネジ挿通孔
５３…工具代空間
５４…ネジ開放空間
６…電源固定部材
６０…取付部
６１…挟持部
６２…抜け止め爪部
６３…電源絶縁部材規制部
７、１０７…押さえ部材
７０…幅広部位
７１…壁面
８…第２の反射シート（反射シート）
８ａ，８ｂ，８ｃ…切り込み
８ｈ…孔
９…案内部材
９０…基板挿入部
９１…基台挿入部
９２…厚み方向貫通路
９３…第１の軸方向案内路
９４…第２の軸方向案内路
１０６…電源挟持部
１２３…基板固定用挟持部
ＡＤ…配列方向、長手方向、管軸方向、軸方向
ＡＤ１…長手方向外側
ＡＤ２…長手方向内側
ＲＤ１…第１面側
ＲＤ２…第１面の反対面側
Ｒｇ…指向角の範囲
ＣＤ…交差方向、管軸直交方向
ＣＤ１，ＣＤ２，ＣＤ３，ＣＤ４…軸方向に直交する方向
ＳＰ２…開放空間
ｅ１，ｅ２…エッジ
Ｗ１…基板の短手方向幅
Ｗ２…載置面の短手方向寸法
２×Ｗ３…載置面の余白幅
Ｄ１…発光素子の管軸方向に沿った寸法
Ｄ３…発光素子の管軸直交方向に沿った寸法
ｖｏ…頭付きネジ
【図１】
0006598845.tif 000002
【図２】
0006598845.tif 000003
【図３】
0006598845.tif 000004
【図４Ａ】
0006598845.tif 000005
【図４Ｂ】
0006598845.tif 000006
【図５Ａ】
0006598845.tif 000007
【図５Ｂ】
0006598845.tif 000008
【図５Ｃ】
0006598845.tif 000009
【図６】
0006598845.tif 000010
【図７】
0006598845.tif 000011
【図８】
0006598845.tif 000012
【図９Ａ】
0006598845.tif 000013
【図９Ｂ】
0006598845.tif 000014
【図１０Ａ】
0006598845.tif 000015
【図１０Ｂ】
0006598845.tif 000016
【図１１】
0006598845.tif 000017
【図１２】
0006598845.tif 000018
【図１３】
0006598845.tif 000019
【図１４】
0006598845.tif 000020